(57)【要約】  この回転電機では、第１同芯巻コイルおよび第３同芯巻コイルのコイル中心は、磁極の中心に対して周方向の一方側に位置するとともに、第２同芯巻コイルおよび第４同芯巻コイルのコイル中心は、磁極の中心に対して周方向の他方側に位置する。
2016153002.tif 000002
【特許請求の範囲】
【請求項１】
永久磁石が設けられるロータコアと、
前記ロータコアと半径方向に対向するように配置され、複数のスロットが設けられるステータコアと、
前記ステータコアの前記スロットに配置され、導線が同芯巻きされた同芯巻コイルとを備え、
前記同芯巻コイルは、同相の、互いに直列に接続された第１同芯巻コイルおよび第２同芯巻コイルと、互いに直列に接続された第３同芯巻コイルおよび第４同芯巻コイルとを含み、
前記第１同芯巻コイルおよび前記第２同芯巻コイルと、前記第３同芯巻コイルおよび前記第４同芯巻コイルとは、互いに並列に接続されており、
前記第１同芯巻コイルおよび前記第３同芯巻コイルのコイル中心は、磁極の中心に対して周方向の一方側に位置するとともに、前記第２同芯巻コイルおよび前記第４同芯巻コイルのコイル中心は、前記磁極の中心に対して周方向の他方側に位置する、回転電機。
【請求項２】
前記第１同芯巻コイル、前記第２同芯巻コイル、前記第３同芯巻コイルおよび前記第４同芯巻コイルは、各々、導線が同芯巻された複数のコイル部分と、前記コイル部分同士を接続する接続部とを含み、
前記第１同芯巻コイルおよび前記第３同芯巻コイルの各々の前記接続部における接続中心は、前記磁極の中心に対して周方向の一方側に位置するとともに、
前記第２同芯巻コイルおよび前記第４同芯巻コイルの各々の前記接続部における接続中心は、前記磁極の中心に対して周方向の他方側に位置する、請求項１に記載の回転電機。
【請求項３】
前記コイル部分と前記接続部との組が、周方向に沿って複数組配置されている、請求項２に記載の回転電機。
【請求項４】
前記第１同芯巻コイルのコイル中心は、第１磁極の中心に対して周方向の一方側に位置するとともに、前記第２同芯巻コイルのコイル中心は、前記第１磁極の中心に対して周方向の他方側に位置しており、
前記第３同芯巻コイルのコイル中心は、前記第１磁極に隣接する第２磁極の中心に対して周方向の一方側に位置するとともに、前記第４同芯巻コイルのコイル中心は、前記第２磁極の中心に対して周方向の他方側に位置している、請求項１〜３のいずれか１項に記載の回転電機。
【請求項５】
前記第１同芯巻コイルのコイル中心は、第１磁極の中心に対して周方向の一方側に位置するとともに、前記第２同芯巻コイルのコイル中心は、前記第１磁極に隣接する第２磁極の中心に対して周方向の他方側に位置しており、
前記第３同芯巻コイルのコイル中心は、前記第２磁極の中心に対して周方向の一方側に位置するとともに、前記第４同芯巻コイルのコイル中心は、前記第１磁極の中心に対して周方向の他方側に位置している、請求項１〜３のいずれか１項に記載の回転電機。
【請求項６】
前記永久磁石は、前記ロータコアの周方向に沿って略等角度間隔に複数設けられている、請求項１〜５のいずれか１項に記載の回転電機。
【請求項７】
前記同芯巻コイルは、３相の同芯巻コイルを含み、
前記３相の同芯巻コイルのそれぞれが、互いに直列に接続された前記第１同芯巻コイルおよび前記第２同芯巻コイルと、互いに直列に接続された前記第３同芯巻コイルおよび前記第４同芯巻コイルとを含み、
前記第１同芯巻コイルおよび前記第２同芯巻コイルと、前記第３同芯巻コイルおよび前記第４同芯巻コイルとは、互いに並列に接続されており、
前記第１同芯巻コイルおよび前記第３同芯巻コイルのコイル中心は、前記磁極の中心に対して周方向の一方側に位置するとともに、前記第２同芯巻コイルおよび前記第４同芯巻コイルのコイル中心は、前記磁極の中心に対して周方向の他方側に位置する、請求項１〜６のいずれか１項に記載の回転電機。
【請求項８】
前記同芯巻コイルは、３相の同芯巻コイルを含み、前記３相の同芯巻コイルは、Ｙ結線されている、請求項１〜７のいずれか１項に記載の回転電機。
【発明の詳細な説明】
【技術分野】
【０００１】
本発明は、回転電機に関する。
【背景技術】
【０００２】
従来、互いに並列に接続された同相の同芯巻コイルを備える回転電機が知られている。【０００３】
従来では、丸線が同芯巻きされることにより形成され、互いに並列に接続された複数の同芯巻コイル（たとえば、第１丸線同芯巻コイル〜第４丸線同芯巻コイル）が知られている。ここで、第１丸線同芯巻コイル〜第４丸線同芯巻コイルは、各々、互いに直列に接続された複数のコイル（以下、コイル部分と呼ぶ）を含んでいる。そして、第１丸線同芯巻コイル〜第４丸線同芯巻コイルは、第１丸線同芯巻コイルの複数のコイル部分、第２丸線同芯巻コイルの複数のコイル部分、第３丸線同芯巻コイルの複数のコイル部分、および、第４丸線同芯巻コイルの複数のコイル部分の順（すなわち、隣極巻）で、ステータコアのスロットに配置されていた。【０００４】
ここで、ロータの軸の中心とステータの軸の中心とがずれた場合などにおいては、ロータに設けられた永久磁石と、第１丸線同芯巻コイル〜第４丸線同芯巻コイルの各々との位置関係が不均等になる場合がある。このため、同芯巻コイル内において循環電流が生じて、ノイズや振動が発生するなどの不都合があった。【０００５】
この不都合を解消するために、従来では、第１丸線同芯巻コイルの１つのコイル部分、第２丸線同芯巻コイルの１つのコイル部分、第３丸線同芯巻コイルの１つのコイル部分、および、第４丸線同芯巻コイルの１つのコイル部分の順でステータコアのスロットに配置すること（隔極巻）が行われていた。これにより、永久磁石と、第１丸線同芯巻コイル〜第４丸線同芯巻コイルの各々との位置関係の不均等が解消されて、同芯巻コイル内での循環電流に起因するノイズや振動の発生が低減されていた。【０００６】
また、従来、平角導線が同芯巻きされた同芯巻コイルを備える回転電機が知られている。このような回転電機は、たとえば、特開２０１２−１２５０４３号公報に開示されている。【０００７】
特開２０１２−１２５０４３号公報では、平角導線が同芯巻された第１同芯巻コイルおよび第２同芯巻コイルを備えるモータが開示されている。第１同芯巻コイルは、巻回された隣接する平角導線の間に、第２同芯巻コイルの平角導線が挿入可能なように隙間を有した状態で平角導線が巻回されている。すなわち、特開２０１２−１２５０４３号公報では、ステータコアの１つのスロットに、第１同芯巻コイルの平角導線と第２同芯巻コイルの平角導線とがステータコアの半径方向に沿って交互に配置されている。
【先行技術文献】
【特許文献】
【０００８】
【特許文献１】特開２０１２−１２５０４３号公報
【発明の概要】
【発明が解決しようとする課題】
【０００９】
しかしながら、特開２０１２−１２５０４３号公報のモータでは、１つのスロット内に、第１同芯巻コイルの平角導線と第２同芯巻コイルの平角導線とが混在するため、永久磁石と、第１同芯巻コイルおよび第２同芯巻コイルの各々との位置関係の不均等を解消するように、隔極巻を行うことが困難である。このため、導線が同芯巻きされた同芯巻コイルを備える回転電機において、同芯巻コイル内での循環電流に起因するノイズや振動の低減が望まれている。【００１０】
この発明は、上記のような課題を解決するためになされたものであり、この発明の１つの目的は、導線が同芯巻きされた同芯巻コイルを備える回転電機において、同芯巻コイル内での循環電流に起因するノイズや振動の発生を低減することが可能な回転電機を提供することである。
【課題を解決するための手段】
【００１１】
上記目的を達成するために、この発明の一の局面における回転電機は、永久磁石が設けられるロータコアと、ロータコアと半径方向に対向するように配置され、複数のスロットが設けられるステータコアと、ステータコアのスロットに配置され、導線が同芯巻きされた同芯巻コイルとを備え、同芯巻コイルは、同相の、互いに直列に接続された第１同芯巻コイルおよび第２同芯巻コイルと、互いに直列に接続された第３同芯巻コイルおよび第４同芯巻コイルとを含み、第１同芯巻コイルおよび第２同芯巻コイルと、第３同芯巻コイルおよび第４同芯巻コイルとは、互いに並列に接続されており、第１同芯巻コイルおよび第３同芯巻コイルのコイル中心は、磁極の中心に対して周方向の一方側に位置するとともに、第２同芯巻コイルおよび第４同芯巻コイルのコイル中心は、磁極の中心に対して周方向の他方側に位置する。【００１２】
この発明の一の局面による回転電機では、上記のように、互いに直列に接続された第１同芯巻コイルおよび第２同芯巻コイルと、互いに直列に接続された第３同芯巻コイルおよび第４同芯巻コイルとのうち、第１同芯巻コイルおよび第３同芯巻コイルのコイル中心は、磁極の中心に対して周方向の一方側に位置するとともに、第２同芯巻コイルおよび第４同芯巻コイルのコイル中心は、磁極の中心に対して周方向の他方側に位置する。これにより、互いに直列に接続された第１同芯巻コイルおよび第２同芯巻コイル（互いに直列に接続された第３同芯巻コイルおよび第４同芯巻コイル）が、磁極の中心に対して周方向の一方側のみ、または、他方側のみに偏ることが防止されるので、永久磁石と同芯巻コイルとの位置関係の不均等を解消することができる。その結果、導線が同芯巻きされた同芯巻コイルを備える回転電機において、同芯巻コイル内での循環電流に起因するノイズや振動の発生を低減することができる。
【発明の効果】
【００１３】
本発明によれば、上記のように、導線が同芯巻きされた同芯巻コイルを備える回転電機において、同芯巻コイル内での循環電流に起因するノイズや振動の発生を低減することができる。
【図面の簡単な説明】
【００１４】
【図１】本発明の第１および第２実施形態による回転電機の平面図である。
【図２】本発明の第１および第２実施形態によるＹ結線された３相の同芯巻コイルの回路図である。
【図３】本発明の第１実施形態によるＵ相の同芯巻コイルがスロットに配置された状態を示す図である。
【図４】図３の部分拡大図において、第１同芯巻コイルおよび第２同芯巻コイルのみを示す図である。
【図５】図３の部分拡大図において、第３同芯巻コイルおよび第４同芯巻コイルのみを示す図である。
【図６】図３の部分拡大図である。
【図７】図３の部分拡大図において、第１〜第４同芯巻コイルの配置状態を模式的に表した図である。
【図８】本発明の第２実施形態によるＵ相の同芯巻コイルがスロットに配置された状態を示す図である。
【図９】図８の部分拡大図において、第１同芯巻コイルおよび第２同芯巻コイルのみを示す図である。
【図１０】図８の部分拡大図において、第３同芯巻コイルおよび第４同芯巻コイルのみを示す図である。
【発明を実施するための形態】
【００１５】
以下、本発明の実施形態を図面に基づいて説明する。
【００１６】
［第１実施形態］
（回転電機の構造）
図１〜図７を参照して、第１実施形態による回転電機１００の構造について説明する。
【００１７】
図１に示すように、回転電機１００は、ロータコア１０を備えている。ロータコア１０には、周方向に沿って複数（たとえば、１６個）の永久磁石１１が設けられている。また、第１実施形態では、複数の永久磁石１１は、ロータコア１０の周方向に沿って略等角度間隔（約２２．５度間隔）に設けられている。
【００１８】
また、回転電機１００は、ステータコア２０を備えている。ステータコア２０は、ロータコア１０と半径方向に対向するように配置されている。また、ステータコア２０には、複数（たとえば、９６個）のスロット２１が設けられている。また、隣接するスロット２１の間には、ティース２２が設けられている。
【００１９】
また、回転電機１００は、平角導線が同芯巻きされた同芯巻コイル３０を備えている。同芯巻コイル３０は、ステータコア２０のスロット２１に配置されている。
【００２０】
ここで、同芯巻コイル３０とは、図４に示すように、所定のスロット２１に収容される第１スロット収容部３０ａと、所定のスロット２１とは異なるスロット２１に収容される第２スロット収容部３０ｂとが、コイルエンドの軸方向の一方側の第１コイルエンド部３０ｃと、コイルエンドの軸方向の他方側の第２コイルエンド部３０ｄとを介して、連続して巻回されるコイルである。具体的には、同芯巻コイル３０とは、第１スロット収容部３０ａ、第１コイルエンド部３０ｃ、第２スロット収容部３０ｂおよび第２コイルエンド部３０ｄが連続して１つの導線で巻回されているコイルである。
【００２１】
また、図２に示すように、同芯巻コイル３０は、Ｕ相の同芯巻コイル４０と、Ｖ相の同芯巻コイル５０と、Ｗ相の同芯巻コイル６０とを含む。また、Ｕ相の同芯巻コイル４０は、同相（Ｕ相）の、互いに直列に接続された第１同芯巻コイル４１および第２同芯巻コイル４２と、互いに直列に接続された第３同芯巻コイル４３および第４同芯巻コイル４４とを含む。また、互いに直列に接続された第１同芯巻コイル４１および第２同芯巻コイル４２と、互いに直列に接続された第３同芯巻コイル４３および第４同芯巻コイル４４とは、互いに並列に接続されている。
【００２２】
また、Ｖ相の同芯巻コイル５０は、同相（Ｖ相）の、互いに直列に接続された第１同芯巻コイル５１および第２同芯巻コイル５２と、互いに直列に接続された第３同芯巻コイル５３および第４同芯巻コイル５４とを含む。また、互いに直列に接続された第１同芯巻コイル５１および第２同芯巻コイル５２と、互いに直列に接続された第３同芯巻コイル５３および第４同芯巻コイル５４とは、互いに並列に接続されている。
【００２３】
また、Ｗ相の同芯巻コイル６０は、同相（Ｗ相）の、互いに直列に接続された第１同芯巻コイル６１および第２同芯巻コイル６２と、互いに直列に接続された第３同芯巻コイル６３および第４同芯巻コイル６４とを含む。互いに直列に接続された第１同芯巻コイル６１および第２同芯巻コイル６２と、互いに直列に接続された第３同芯巻コイル６３および第４同芯巻コイル６４とは、互いに並列に接続されている。
【００２４】
そして、第１実施形態では、Ｕ相の同芯巻コイル４０、Ｖ相の同芯巻コイル５０およびＷ相の同芯巻コイル６０は、Ｙ結線されている。
【００２５】
なお、Ｕ相の同芯巻コイル４０、Ｖ相の同芯巻コイル５０およびＷ相の同芯巻コイル６０は、同様の構成によりスロット２１に配置されている。そこで、以下では、Ｕ相の同芯巻コイル４０について説明する。
【００２６】
（Ｕ相の同芯巻コイルの構造）
図３〜図６を参照して、第１同芯巻コイル４１〜第４同芯巻コイル４４について説明する。図４では、Ｕ相の同芯巻コイル４０のうち、Ｕ相の第１同芯巻コイル４１および第２同芯巻コイル４２が示されている。また、図４（ａ）では、スロット２１と、スロット２１に配置される第１同芯巻コイル４１および第２同芯巻コイル４２とが示されている。また、図４（ｂ）では、磁極７０の中心（二点鎖線）と、磁極７０の中心（Ａ１、Ａ２）に対するコイル中心（Ｃ１１、Ｃ１２）および接続中心（Ｃ２１、Ｃ２２）の位置が示されている。なお、「接続中心」は「接続された２つのコイル中心の中心」でもある。また、図４（ｃ）では、スロット２１に配置される平角導線より形成された第１同芯巻コイル４１および第２同芯巻コイル４２が示されている。また、図４（ｃ）では、スロット２１に対する永久磁石１１の位置関係が示されている。また、図４（ｃ）のスロット２１の番号は、スロット番号を表している。また、図５では、Ｕ相の同芯巻コイル４０のうち、Ｕ相の第３同芯巻コイル４３および第４同芯巻コイル４４が示されている。
【００２７】
なお、コイル中心（Ｃ１１、Ｃ１２）とは、図４に示すように、同芯巻コイル３０において、所定のスロット２１に収容される第１スロット収容部３０ａと、所定のスロット２１とは異なるスロット２１に収容される第２スロット収容部３０ｂとの周方向の中央を通る軸方向に沿った線分を意味する。本実施形態では、同芯巻コイル３０が略六角形形状を有するので、第１コイルエンド部３０ｃおよび第２コイルエンド部３０ｄの屈曲部がコイル中心となっているが、これに限るものではなく、あくまでも、所定のスロット２１に収容される第１スロット収容部３０ａと、所定のスロット２１とは異なるスロット２１に収容される第２スロット収容部３０ｂとの周方向の中央を通る軸方向に沿った線分を意味する。
【００２８】
ここで、第１実施形態では、図４に示すように、第１同芯巻コイル４１のコイル中心Ｃ１１は、磁極７０（第１磁極７１）の中心Ａ１に対して周方向の一方側（Ｘ１方向側）に位置する。また、第２同芯巻コイル４２のコイル中心Ｃ１２は、第１磁極７１の中心Ａ１に対して周方向の他方側（Ｘ２方向側）に位置する。また、図５に示すように、第３同芯巻コイル４３のコイル中心Ｃ１３は、第２磁極７２の中心Ａ２に対して周方向の一方側（Ｘ１方向側）に位置する。また、第４同芯巻コイル４４のコイル中心Ｃ１４は、第２磁極７２の中心Ａ２に対して周方向の他方側（Ｘ２方向側）に位置する。
【００２９】
具体的には、図４に示すように、第１同芯巻コイル４１のコイル中心Ｃ１１は、第１磁極７１の中心Ａ１に対して周方向の一方側（Ｘ１方向側）に略１／２スロット分ずれた位置に位置するとともに、第２同芯巻コイル４２のコイル中心Ｃ１２は、第１磁極７１の中心Ａ１に対して周方向の他方側（Ｘ２方向側）に略１／２スロット分ずれた位置に位置している。たとえば、第１同芯巻コイル４１は、スロット番号２４のスロット２１と、スロット番号１８のスロット２１とに配置されている。すなわち、第１同芯巻コイル４１が配置されるスロット２１のピッチは、６である。第２同芯巻コイル４２は、スロット番号２５のスロット２１と、スロット番号１９のスロット２１とに配置されている。すなわち、第２同芯巻コイル４２が配置されるスロット２１のピッチは、６である。
【００３０】
磁極の中心について説明する。まず、図４に示すように、異なる同芯巻コイル３０からなる複数の相（たとえば、３相であれば、Ｕ相、Ｖ相およびＷ相からなる３つの相）のうちの、同じ相の同芯巻コイルが隣り合うスロット２１に収容される第１スロット収容部３０ａをそれぞれ有するとともに、周方向に所定の間隔を隔てた隣り合うスロット２１にそれぞれ収容される第２スロット収容部３０ｂを有し、第１スロット収容部３０ａおよび第２スロット収容部３０ｂが同じ導線で連続して巻回される、周方向に隣り合う同じ相の同芯巻コイル３０である、第１同芯巻コイル３０１およびの第２同芯巻コイル３０２がある。そして、磁極の中心（Ａ１）とは、周方向に隣り合う同じ相の同芯巻コイル３０１およびの第２同芯巻コイル３０２のそれぞれのコイル中心の周方向の中央を通る軸方向に沿った線分を意味する。また、磁極の中心（Ａ２）とは、第１同芯巻コイル３０１が、さらに周方向に離間したスロット２１に収容される同じ相の第１同芯巻コイル３０３と接続部４１ｂを介して接続され、接続部４１ｂを含めた同芯巻コイルの中心同士の周方向の中央を通る軸方向に沿った線分を意味する。
【００３１】
また、図５に示すように、第３同芯巻コイル４３のコイル中心Ｃ１３は、第１磁極７１に隣接する第２磁極７２の中心Ａ２に対して周方向の一方側（Ｘ１方向側）に略１／２スロット分ずれた位置に位置するとともに、第４同芯巻コイル４４のコイル中心Ｃ１４は、第２磁極７２の中心Ａ２に対して周方向の他方側（Ｘ２方向側）に略１／２スロット分ずれた位置に位置している。たとえば、第３同芯巻コイル４３は、スロット番号１８のスロット２１と、スロット番号１２のスロット２１とに配置されている。すなわち、第３同芯巻コイル４３が配置されるスロット２１のピッチは、６である。第４同芯巻コイル４４は、スロット番号１９のスロット２１と、スロット番号１３のスロット２１とに配置されている。すなわち、第４同芯巻コイル４４が配置されるスロット２１のピッチは、６である。
【００３２】
このように、回転電機１００では、１つのスロット２１に、第１同芯巻コイル４１および第３同芯巻コイル４３が混在し、第２同芯巻コイル４２および第４同芯巻コイル４４が混在している。
【００３３】
また、第１実施形態では、図４に示すように、第１同芯巻コイル４１は、平角導線が同芯巻された複数のコイル部分４１ａと、コイル部分４１ａ同士を接続する接続部４１ｂとを含む。そして、第１同芯巻コイル４１の接続部４１ｂにおける接続中心Ｃ２１は、第２磁極７２の中心Ａ２に対して周方向の一方側（Ｘ１方向側）に略１／２スロット分ずれた位置に位置する。たとえば、接続部４１ｂは、スロット番号１８のスロット２１と、スロット番号１２のスロット２１とに跨るように配置されている。すなわち、接続部４１ｂが配置されるスロット２１のピッチは、６である。
【００３４】
また、第２同芯巻コイル４２は、平角導線が同芯巻された複数のコイル部分４２ａと、コイル部分４２ａ同士を接続する接続部４２ｂとを含む。そして、接続部４２ｂにおける接続中心Ｃ２２は、第２磁極７２の中心Ａ２に対して周方向の他方側（Ｘ２方向側）に略１／２スロット分ずれた位置に位置する。たとえば、接続部４２ｂは、スロット番号１９のスロット２１と、スロット番号１３のスロット２１とに跨るように配置されている。すなわち、接続部４２ｂが配置されるスロット２１のピッチは、６である。
【００３５】
また、図５に示すように、第３同芯巻コイル４３は、平角導線が同芯巻された複数のコイル部分４３ａと、コイル部分４３ａ同士を接続する接続部４３ｂとを含む。そして、接続部４３ｂにおける接続中心Ｃ２３は、第１磁極７１の中心Ａ１に対して周方向の一方側（Ｘ１方向側）に略１／２スロット分ずれた位置に位置する。たとえば、接続部４３ｂは、スロット番号２４のスロット２１と、スロット番号１８のスロット２１とに跨るように配置されている。すなわち、接続部４３ｂが配置されるスロット２１のピッチは、６である。
【００３６】
また、第４同芯巻コイル４４は、平角導線が同芯巻された複数のコイル部分４４ａと、コイル部分４４ａ同士を接続する接続部４４ｂとを含む。そして、接続部４４ｂにおける接続中心Ｃ２４は、第１磁極７１の中心Ａ１に対して周方向の他方側（Ｘ２方向側）に略１／２スロット分ずれた位置に位置する。たとえば、接続部４４ｂは、スロット番号２５のスロット２１と、スロット番号１９のスロット２１とに跨るように配置されている。すなわち、接続部４４ｂが配置されるスロット２１のピッチは、６である。
【００３７】
そして、第１実施形態では、図４および図５に示すように、コイル部分４１ａ（４２ａ、４３ａ、４４ａ）と接続部４１ｂ（４２ｂ、４３ｂ、４４ｂ）との組４１ｃ（４２ｃ、４３ｃ、４４ｃ）が、周方向に沿って複数組配置されている。
【００３８】
そして、図４および図６に示すように、スロット番号８４のスロット２１に配置される第１同芯巻コイル４１と、スロット番号９１のスロット２１に配置される第２同芯巻コイル４２とが、互いに直列に接続されている。また、図５および図６に示すように、スロット番号９６のスロット２１に配置される第３同芯巻コイル４３と、スロット番号９１のスロット２１に配置される第４同芯巻コイル４４とが、互いに直列に接続されている。
【００３９】
また、図４〜図６に示すように、スロット番号９０のスロット２１に配置される第１同芯巻コイル４１（接続部４１ｂに相当する部分）と、スロット番号９０のスロット２１に配置される第３同芯巻コイル４３（接続部４３ｂに相当する部分）とが、動力線４５に接続されている。また、スロット番号８５のスロット２１に配置される第２同芯巻コイル４２（接続部４２ｂに相当する部分）と、スロット番号１のスロット２１に配置される第４同芯巻コイル４４（接続部４４ｂに相当する部分）とが、中性線４６に接続されている。なお、第１同芯巻コイル４１と第３同芯巻コイル４３とが中性線４６に接続されるとともに、第２同芯巻コイル４２と第４同芯巻コイル４４と動力線４５に接続されていてもよい。
【００４０】
（Ｖ相およびＷ相の同芯巻コイルの構造）
また、Ｖ相の同芯巻コイル５０、および、Ｗ相の同芯巻コイル６０は、Ｕ相の同芯巻コイル４０と同様の構成を有する。すなわち、第１実施形態では、Ｖ相の同芯巻コイル５０の第１同芯巻コイル５１および第３同芯巻コイル５３は、コイル中心が磁極７０の中心に対して周方向の一方側に位置するとともに、第２同芯巻コイル５２および第４同芯巻コイル５４は、コイル中心が磁極７０の中心に対して周方向の他方側に位置する。また、Ｗ相の同芯巻コイル６０の第１同芯巻コイル６１および第３同芯巻コイル６３は、コイル中心が磁極７０の中心に対して周方向の一方側に位置するとともに、第２同芯巻コイル６２および第４同芯巻コイル６４は、コイル中心が磁極７０の中心に対して周方向の他方側に位置する。
【００４１】
[第１実施形態の効果]
第１実施形態では、以下のような効果を得ることができる。なお、以下では、Ｕ相の同芯巻コイル４０についての効果を記載しているが、Ｖ相の同芯巻コイル５０、および、Ｗ相の同芯巻コイル６０についても同様の効果を奏する。
【００４２】
第１実施形態では、上記のように、互いに直列に接続された第１同芯巻コイル４１および第２同芯巻コイル４２と、互いに直列に接続された第３同芯巻コイル４３および第４同芯巻コイル４４とのうち、第１同芯巻コイル４１および第３同芯巻コイル４３のコイル中心Ｃ１１およびＣ１３は、磁極７０の中心に対して周方向の一方側に位置するとともに、第２同芯巻コイル４２および第４同芯巻コイル４４のコイル中心Ｃ１２およびＣ１４は、磁極７０の中心に対して周方向の他方側に位置する。これにより、互いに直列に接続された第１同芯巻コイル４１および第２同芯巻コイル４２（互いに直列に接続された第３同芯巻コイル４３および第４同芯巻コイル４４）が、磁極７０の中心に対して周方向の一方側のみ、または、他方側のみに偏ることが防止されるので、永久磁石１１と同芯巻コイル４０との位置関係の不均等を解消することができる。その結果、平角導線が同芯巻きされた同芯巻コイル４０を備える回転電機１００において、同芯巻コイル４０内での循環電流に起因するノイズや振動の発生を低減することができる。また、同芯巻コイル４０内での循環電流に起因する回転電機１００のトルクへの悪影響を低減することができる。
【００４３】
また、第１実施形態では、上記のように、第１同芯巻コイル４１、第２同芯巻コイル４２、第３同芯巻コイル４３および第４同芯巻コイル４４は、各々、平角導線が同芯巻された複数のコイル部分４１ａ、４２ａ、４３ａおよび４４ａと、コイル部分４１ａ、４２ａ、４３ａおよび４４ａ同士を接続する接続部４１ｂ、４２ｂ、４３ｂおよび４４ｂとを含む。そして、第１同芯巻コイル４１の接続部４１ｂ（第３同芯巻コイル４３の接続部４３ｂ）における接続中心Ｃ２１（Ｃ２３）は、第１磁極７１の中心Ａ１に対して周方向の一方側に位置する。また、第２同芯巻コイル４２の接続部４２ｂ（第４同芯巻コイル４４の接続部４４ｂ）における接続中心Ｃ２２（Ｃ２４）は、第１磁極７１の中心Ａ１に対して周方向の他方側に位置する。これにより、第１同芯巻コイル４１および第２同芯巻コイル４２を１つの組とした場合のコイル部分の中心、接続部４１ｂおよび接続部４２ｂを１つの組とした場合の接続中心が、磁極７０の中心に位置する。同様に、第３同芯巻コイル４３および第４同芯巻コイル４４を１つの組とした場合のコイル部分の中心、接続部４３ｂおよび接続部４４ｂを１つの組とした場合の接続中心が、磁極７０の中心に位置する。その結果、永久磁石１１と、第１同芯巻コイル４１〜第４同芯巻コイル４４および接続部４１ｂ〜接続部４４ｂとの間の位置関係が不均等になるのを防止することができる。
【００４４】
また、第１実施形態では、上記のように、コイル部分４１ａ（４２ａ、４３ａ、４４ａ）と接続部４１ｂ（４２ｂ、４３ｂ、４４ｂ）との組４１ｃ（４２ｃ、４３ｃ、４４ｃ）を、周方向に沿って複数組配置する。これにより、周方向の全周にわたって、永久磁石１１と同芯巻コイル４０との位置関係の不均等を解消することができる。
【００４５】
また、第１実施形態では、上記のように、第１同芯巻コイル４１のコイル中心Ｃ１１は、第１磁極７１の中心Ａ１に対して周方向の一方側に位置するとともに、第２同芯巻コイル４２のコイル中心Ｃ１２は、第１磁極７１の中心Ａ１に対して周方向の他方側に位置している。また、第３同芯巻コイル４３のコイル中心Ｃ１３は、第１磁極７１に隣接する第２磁極７２の中心Ａ２に対して周方向の一方側に位置するとともに、第４同芯巻コイル４４のコイル中心Ｃ１４は、第２磁極７２の中心Ａ２に対して周方向の他方側に位置している。これにより、第１同芯巻コイル４１および第２同芯巻コイル４２を１つの組とし、第３同芯巻コイル４３および第４同芯巻コイル４４を１つの組とした場合、各々の組のコイル中心は、磁極７０の中心上に位置するので、永久磁石１１と１つの組との位置関係とのバランスを保持することができる。
【００４６】
また、第１実施形態では、上記のように、永久磁石１１は、ロータコア１０の周方向に沿って略等角度間隔に複数設けられている。これにより、永久磁石１１と同芯巻コイル４０との位置関係が、永久磁石１１毎に異なるのが防止されるので、複数の永久磁石１１の各々と同芯巻コイル４０との位置関係の不均等を、解消することができる。
【００４７】
また、第１実施形態では、上記のように、同芯巻コイル３０は、３相の同芯巻コイル４０、５０および６０を含み、３相の同芯巻コイル４０、５０および６０のそれぞれが、互いに直列に接続された第１同芯巻コイル４１（５１、６１）および第２同芯巻コイル４２（５２、６２）と、互いに直列に接続された第３同芯巻コイル４３（５３、６３）、および、第４同芯巻コイル４４（５４、６４）とを含む。そして、第１同芯巻コイル４１（５１、６１）および第２同芯巻コイル４２（５２、６２）と、第３同芯巻コイル４３（５３、６３）および第４同芯巻コイル４４（５４、６４）とは、互いに並列に接続されており、第１同芯巻コイル４１（５１、６１）および第３同芯巻コイル４３（５３、６３）のコイル中心は、磁極７０の中心に対して周方向の一方側に位置するとともに、第２同芯巻コイル４２（５２、６２）および第４同芯巻コイル４４（５４、６４）のコイル中心は、磁極７０の中心に対して周方向の他方側に位置する。これにより、３相の同芯巻コイル４０、５０および６０の全てにおいて、永久磁石１１と同芯巻コイル４０、５０および６０との位置関係の不均等を解消することができる。
【００４８】
また、第１実施形態では、上記のように、３相の同芯巻コイル４０、５０および６０は、Ｙ結線されている。これにより、Ｙ結線された３相の同芯巻コイル４０、５０および６０において、永久磁石１１と同芯巻コイル４０、５０および６０との位置関係の不均等を解消することができる。
【００４９】
［第２実施形態］
図２および図８〜図１０を参照して、第２実施形態による回転電機２００の構造について説明する。第２実施形態の回転電機２００は、同一の第１磁極７１の一方側と他方側とにコイル中心Ｃ１１およびＣ１２が位置する第１同芯巻コイル４１と第２同芯巻コイル４２とが互いに直列に接続されていた上記第１実施形態と異なり、第１磁極７１の一方側にコイル中心Ｃ３１が位置する第１同芯巻コイル１４１と第１磁極７１に隣接する第２磁極７２の他方側にコイル中心Ｃ３２が位置する第２同芯巻コイル１４２とが互いに直列に接続されている。
【００５０】
第２実施形態では、図２に示すように、Ｕ相の同芯巻コイル１４０、Ｖ相の同芯巻コイル１５０およびＷ相の同芯巻コイル１６０は、Ｙ結線されている。なお、Ｕ相の同芯巻コイル１４０、Ｖ相の同芯巻コイル１５０およびＷ相の同芯巻コイル１６０は、同様の構成によりスロット２１に配置されている。そこで、以下では、Ｕ相の同芯巻コイル１４０について説明する。
【００５１】
（Ｕ相の同芯巻コイルの構造）
図８および図９に示すように、Ｕ相の同芯巻コイル１４０の第１同芯巻コイル１４１のコイル中心Ｃ３１は、第１磁極７１の中心Ａ１に対して周方向の一方側（Ｘ１方向側）に位置する。また、第２同芯巻コイル１４２のコイル中心Ｃ３２は、第１磁極７１に隣接する第２磁極７２の中心Ａ２に対して周方向の他方側（Ｘ２方向側）に位置している。
【００５２】
また、図１０に示すように、第３同芯巻コイル１４３のコイル中心Ｃ３３は、第２磁極７２の中心Ａ２に対して周方向の一方側に位置するとともに、第４同芯巻コイル１４４のコイル中心Ｃ３４は、第１磁極７１の中心に対して周方向の他方側に位置している。
【００５３】
そして、スロット番号８４のスロット２１に配置される第１同芯巻コイル１４１と、スロット番号９１のスロット２１に配置される第２同芯巻コイル１４２とが、互いに直列に接続されている。また、スロット番号９６のスロット２１に配置される第３同芯巻コイル１４３と、スロット番号９１のスロット２１に配置される第４同芯巻コイル１４４とが、互いに直列に接続されている。
【００５４】
すなわち、第２実施形態では、第１実施形態の第１同芯巻コイル４１（図７参照）と、第４同芯巻コイル４４とが互いに直列に接続されるとともに、第１実施形態の第２同芯巻コイル４２と、第３同芯巻コイル４３とが互いに直列に接続されている。
【００５５】
なお、第２実施形態のその他の構成は、上記第１実施形態と同様である。
【００５６】
[第２実施形態の効果]
第２実施形態では、以下のような効果を得ることができる。なお、以下では、Ｕ相の同芯巻コイル１４０についての効果を記載しているが、Ｖ相の同芯巻コイル１５０、および、Ｗ相の同芯巻コイル１６０についても同様の効果を奏する。
【００５７】
第２実施形態では、上記のように、第１同芯巻コイル１４１のコイル中心Ｃ３１は、第１磁極７１の中心Ａ１に対して周方向の一方側に位置するとともに、第２同芯巻コイル１４２のコイル中心Ｃ３２は、第１磁極７１に隣接する第２磁極７２の中心Ａ２に対して周方向の他方側に位置している。また、第３同芯巻コイル１４３のコイル中心Ｃ３３は、第２磁極７２の中心Ａ２に対して周方向の一方側に位置するとともに、第４同芯巻コイル１４４のコイル中心Ｃ３４は、第１磁極７１の中心Ａ１に対して周方向の他方側に位置している。このような第１実施形態とは異なる第２実施形態の構成においても、第１同芯巻コイル１４１および第２同芯巻コイル１４２を１つの組とし、第３同芯巻コイル１４３および第４同芯巻コイル１４４を１つの組とした場合、１つの組の中心は、磁極７０の中心上に位置するので、永久磁石１１と１つの組との位置関係とのバランスを保持することができる。
【００５８】
なお、第２実施形態のその他の効果は、上記第１実施形態と同様である。
【００５９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記第１および第２実施形態では、第１同芯巻コイルおよび第３同芯巻コイルのコイル中心が、磁極の中心の一方側に略１／２スロット分ずれた位置に位置するとともに、第３同芯巻コイルおよび第４同芯巻コイルのコイル中心が、磁極の中心の他方側に略１／２スロット分ずれた位置に位置する例を示したが、本発明はこれに限られない。本発明では、第１同芯巻コイル〜第４同芯巻コイルが、磁極の中心の一方側または他方側に略１／２スロット分以外の距離分、ずれた位置に位置してもよい。
【００６１】
また、上記第１および第２実施形態では、ステータコアに９６個のスロットが設けられている例を示したが、本発明はこれに限られない。本発明では、スロットの数は、９６個以外でもよい。
【００６２】
また、上記第１および第２実施形態では、第１同芯巻コイル〜第４同芯巻コイルのピッチが６である例を示したが、本発明はこれに限られない。本発明では、第１同芯巻コイル〜第４同芯巻コイルのピッチは、６以外でもよい。
【００６３】
また、上記第１および第２実施形態では、第１同芯巻コイル〜第４同芯巻コイルの接続部のピッチが６である例を示したが、本発明はこれに限られない。本発明では、第１同芯巻コイル〜第４同芯巻コイルの接続部のピッチが６以外のピッチでもよい。
【００６４】
また、上記第１および第２実施形態では、同芯巻コイルは、３相の同芯巻コイルを含む例を示したが、本発明はこれに限られない。本発明では、同芯巻コイルが３相以外の相の同芯巻コイルを含んでいてもよい。
【００６５】
また、上記第１および第２実施形態では、３相の同芯巻コイルがＹ結線されている例を示したが、本発明はこれに限られない。本発明では、３相の同芯巻コイルがΔ結線されていてもよい。
【符号の説明】
【００６６】
１０  ロータコア
１１  永久磁石
２０  ステータコア
２１  スロット
３０、４０、５０、６０、１４０、１５０、１６０  同芯巻コイル
４１、５１、６１、１４１  第１同芯巻コイル
４２、５２、６２、１４２  第２同芯巻コイル
４３、５３、６３、１４３  第３同芯巻コイル
４４、５４、６４、１４４  第４同芯巻コイル
４１ａ、４２ａ、４３ａ、４４ａ  コイル部分
４１ｂ、４２ｂ、４３ｂ、４４ｂ  接続部
４１ｃ、４２ｃ、４３ｃ、４４ｃ  組
７０  磁極
７１  第１磁極
７２  第２磁極
１００、２００  回転電機
Ａ１  （第１磁極の）中心
Ａ２  （第２磁極の）中心
Ｃ１１、Ｃ１２、Ｃ１３、Ｃ１４、Ｃ３１、Ｃ３２、Ｃ３３、Ｃ３４  コイル中心
Ｃ２１、Ｃ２２、Ｃ２３、Ｃ２４  接続中心
【図１】
2016153002.tif 000003
【図２】
2016153002.tif 000004
【図３】
2016153002.tif 000005
【図４】
2016153002.tif 000006
【図５】
2016153002.tif 000007
【図６】
2016153002.tif 000008
【図７】
2016153002.tif 000009
【図８】
2016153002.tif 000010
【図９】
2016153002.tif 000011
【図１０】
2016153002.tif 000012
【国際調査報告】
2016153002.tif 000013
2016153002.tif 000014
2016153002.tif 000015
2016153002.tif 000016